(57)【要約】      （修正有）【課題】部品を共有し複数の仕様に対応することができるとともに、部品点数の増加を抑えることのできる乗客コンベア装置を提供する。【解決手段】各種スイッチを有する操作盤を欄干部に備えた乗客コンベア装置において、スイッチ１０ａ，１０ｂは、所定操作に応じて複数の処理に対応可能とするとともに、その操作内容を文字表示する表示部１１を設けたものである。【選択図】図１
2008285262.tif 000002
【特許請求の範囲】
【請求項１】
各種スイッチを有する操作盤を欄干部に備えた乗客コンベア装置において、
前記スイッチは、所定操作に応じて複数の処理に対応可能とするとともに、その操作内容を文字表示する表示部を設けたことを特徴とする乗客コンベア装置。
【請求項２】
前記表示部は、ＬＥＤ表示であることを特徴とした請求項１記載の乗客コンベア装置。
【発明の詳細な説明】
【技術分野】
【０００１】
本発明は、乗客コンベアの欄干部に各種スイッチを有する操作盤を備えた乗客コンベア装置に関する。
【背景技術】
【０００２】
乗客コンベアの欄干部に、乗客コンベアの運転設定を行うための各種スイッチを有する操作盤を備えたものがある。例えば、操作盤に、速度切換スイッチ、起動スイッチ、および警報や停止操作を行う停止・ブザースイッチと、液晶或いは発光ダイオード等の表示素子で構成された表示部とを設け、操作者は各種スイッチにより運転設定を行うとともに、その設定内容を表示部で確認するようになっている（例えば、特許文献１参照）。
【特許文献１】特開２００５−１４５６９４号公報
【発明の開示】
【発明が解決しようとする課題】
【０００３】
一般に、乗客コンベアには複数の仕様があり、顧客は使用環境、予算等に応じて望ましいと思われる乗客コンベアを選択する。一方、メーカ側としては、仕様は異なるものの、乗客コンベア間で共有部品をなるべく多くすることによりコストの低減を図るようにしている。しかしながら、前述した乗客コンベア装置では、各種スイッチを有する操作盤は特定の仕様にのみ対応可能なものであった。すなわち、乗客コンベアに例えば速度切換機能を持たせた場合、速度切換スイッチを具備した特定の操作盤とする必要があり、一方、速度切換機能を持たない仕様の乗客コンベアには、速度切換スイッチを具備しない特定の操作盤とする必要があった。また、機能を多く有する仕様の乗客コンベアの場合、操作盤に設けられるスイッチ数も増え、必然的に操作盤自体のサイズを大きくする必要もあった。
【０００４】
本発明は、前述した従来技術における実状からなされたもので、その目的は、部品を共有し複数の仕様に対応することができるとともに、部品点数の増加を抑えることのできる乗客コンベア装置を提供することにある。
【課題を解決するための手段】
【０００５】
前記目的を達成するために、本発明は、各種スイッチを有する操作盤を欄干部に備えた乗客コンベア装置において、前記スイッチは、所定操作に応じて複数の処理に対応可能とするとともに、その操作内容を文字表示する表示部を設けたことを特徴としている。
【０００６】
このように構成した本発明は、操作盤に具備されるスイッチは、所定操作に応じて複数の処理に対応することから、仕様の異なる乗客コンベアに設置する場合であっても、操作方法、およびその操作に応じた設定のみを変えればよく、スイッチおよび操作盤を共有することが可能となる。また、１つのスイッチで複数の処理に対応させることにより、多くの機能を有する乗客コンベアであってもスイッチ数を抑えることができる。さらに、表示部は文字表示であることからスイッチの操作および乗客コンベアの仕様に応じて任意に表示内容を設定することができ、部品の共有化を図るとともに、乗客コンベアの機能増加に対応することを可能としている。
【発明の効果】
【０００７】
本発明によれば、部品を共有し複数の仕様に対応することができるとともに、部品点数の増加を抑えることができ、乗客コンベアのコストの低減を図ることができる。
【発明を実施するための最良の形態】
【０００８】
以下、本発明に係る乗客コンベア装置の実施の形態を図に基づいて説明する。
【０００９】
図１は本発明に係る乗客コンベア装置の一実施形態を示す操作盤の正面図、図２は図１の操作盤が備えられる欄干部の概略構成図、図３は表示部の表示例を示す説明図である。
【００１０】
乗客コンベアには図２に示すように、無端状に連結され移動するステップの側部に隣接するスカートガード１と、ステップの側方に立設されるパネル２と、このパネル２に支持されるとともにステップと同期して移動する移動手摺３と、スカートガード１の上部とパネル２の下部との間を覆う内デッキ４とを備えている。そして、乗降口近傍に位置するスカートガード１には、乗客コンベアの運転設定を行うための各種スイッチを有する操作盤５が備えられている。
【００１１】
操作盤５は図１に示すように、所定操作、例えばキーを差し込んだ状態で回動することにより低速で上昇または下降のいずれか一方の運転方向に乗客コンベアを起動するとともに、キーを差し込み、さらに押し込んだ状態で回動することにより高速で上昇または下降のいずれか一方の運転方向に乗客コンベアを起動する起動・速度切換スイッチ１０ａと、アラームの鳴動および停止操作を行うアラーム・停止スイッチ１０ｂと、ＬＥＤから成り、スイッチ１０の操作内容を文字表示する表示部１１と、非常停止信号を出力する非常釦１２とを備えている。なお、乗客コンベアの運転速度として低速運転は、例えば３０ｍ/ｍｉｎに設定されているとともに、高速運転は例えば４０ｍ/ｍｉｎに設定されているものとする。
【００１２】
操作者は乗客コンベアを低速運転で起動する場合、乗客コンベア上に人がいないかどうか等の安全確認を行い、安全であると判断したときには、アラーム・停止スイッチ１０ｂでアラームを鳴動させた後、起動・速度切換スイッチ１０ａにキーを差し込み、この状態で例えば上昇運転方向に回動する。これにより低速による上昇運転の信号が出力され、図示しない制御装置は運転速度が３０ｍ/ｍｉｎに到達するようにモータを回転制御する。この一連の操作の間、図３に示すように表示部１１は、例えば起動可能であることを示す「ＯＫ」という文字、所定の速度に向けて速度を上昇させていることを示す「起動中」という文字、３０ｍ/ｍｉｎで運転していることを示す「３０」という文字を順次表示し、操作者はこの表示を確認する。一方、乗客コンベアを停止させる場合、操作者はキーをアラーム・停止スイッチ１０ｂに差し込み、一旦アラーム側、すなわち反時計回り方向に回動してアラームを鳴動させた後、停止側、すなわち時計回り方向に回動する。これに応じて停止信号が出力され、制御装置はモータを回転制御し所定の減速度で乗客コンベアを停止する。
【００１３】
また、乗客コンベアを高速運転で起動する場合には、アラーム・停止スイッチ１０ｂでアラームを鳴動させた後、起動・速度切換スイッチ１０ａにキーを差し込み、さらに押し込んだ状態で例えば上昇運転方向に回動する。これにより高速による上昇運転の信号が出力され、図示しない制御装置は運転速度が４０ｍ/ｍｉｎに到達するようにモータを回転制御する。このときも前述と同様、表示部１１はスイッチ１０の操作に応じた内容を文字表示する。
【００１４】
一方、前述した操作盤５を異なる仕様の乗客コンベア、例えば速度切換機能を具備しない乗客コンベアに用いる場合、起動・速度切換スイッチ１０ａを、キーを差し込んだ状態で回動することにより上昇または下降のいずれか一方の運転方向に乗客コンベアを起動する起動スイッチとすればよいとともに、表示部１１の表示内容も仕様に応じたものとすればよい。
【００１５】
本実施形態によれば、操作盤５に具備されるスイッチ１０は、所定操作に応じて複数の処理に対応することから、仕様の異なる乗客コンベアに設置する場合であっても、操作方法、およびその操作に応じた設定のみを変えればよく、スイッチ１０および操作盤５を共有することが可能となる。また、１つのスイッチで複数の処理に対応させることにより、多くの機能を有する乗客コンベアであってもスイッチ数を抑えることができる。さらに、表示部１１は文字表示であることからスイッチ１０の操作および乗客コンベアの仕様に応じて任意に表示内容を設定することができ、部品の共有化を図るとともに、乗客コンベアの機能増加に対応することができる。このように、部品を共有し複数の仕様に対応することができるとともに、部品点数の増加を抑えることができることから、ひいては乗客コンベアのコストの低減を図ることができる。
【００１６】
なお、本実施形態では、操作盤５のスイッチを複数の処理に対応するための所定操作として、起動・速度切換スイッチ１０ａをキースイッチとし、キーを差し込んだ状態で回動することにより低速で上昇または下降のいずれか一方の運転方向に乗客コンベアを起動するとともに、キーを差し込み、さらに押し込んだ状態で回動することにより高速で上昇または下降のいずれか一方の運転方向に乗客コンベアを起動するものとしたが、本発明はこれに限られるものでないことは言うまでもない。
【図面の簡単な説明】
【００１７】
【図１】本発明に係る乗客コンベア装置の一実施形態を示す操作盤の正面図である。
【図２】図１の操作盤が備えられる欄干部の概略構成図である。
【図３】表示部の表示例を示す説明図である。
【符号の説明】
【００１８】
１  スカートガード
２  パネル
３  移動手摺
４  内デッキ
５  操作盤
１０ａ  起動・速度切換スイッチ
１０ｂ  アラーム・停止スイッチ
１１  表示部
１２  非常釦
【図１】
2008285262.tif 000003
【図２】
2008285262.tif 000004
【図３】
2008285262.tif 000005